(57)【要約】【課題】洗濯物の乾燥時間を短縮する。【解決手段】冷風用吸込口１９と蒸発器５、冷風用ファン８、冷風用吹出口１９を連通して冷風用送風経路２２を形成し、温風用吸込口１７と凝縮器、温風用ファン９、温風用吹出口２３と連通し温風用送風経路２４を形成し、冷風用送風経路と温風用送風経路を連通するバイパス部２５を備え、バイパス部には冷風用吹出口を閉塞し冷風用送風経路と温風用送風経路を連通する切換手段２６を有し、切換手段に冷風用吹出口から冷風を吹き出す冷風モードと、冷風用吹出口を閉塞して温風用吹出口から乾燥風を吹き出す乾燥モードを選択する制御部４３を備え、蒸発器の温度を検知する熱交センサ４６を備え、低室温時の乾燥モード運転時に熱交センサの温度にて、圧縮機の運転を停止して冷風用ファンを運転することで蒸発器の霜を取り除く除霜運転中は、切換手段にて送風経路を冷風モード側に切り換える除霜制御部４７を有する。【選択図】図５
2018159524.tif 000002
【特許請求の範囲】
【請求項１】
筐体に冷風用吸込口と冷風用吹出口、温風用吸込口、温風用吹出口とを有し、
前記筐体内に圧縮機と膨張弁、蒸発器、冷風用ファン、凝縮器、温風用ファンとを有し、
前記圧縮機と膨張弁、蒸発器、凝縮器とを冷媒配管で順次接続して冷凍サイクルを形成し、
前記冷風用吸込口と蒸発器、冷風用ファン、冷風用吹出口とを連通して冷風用送風経路を形成し、
前記温風用吸込口と凝縮器、温風用ファン、温風用吹出口とを連通して温風用送風経路を形成し、
前記冷風用送風経路と温風用送風経路とを隔壁を介して隣接配置し、
前記冷風用吹出口近傍に冷風用送風経路と温風用送風経路を連通するバイパス部を備え、
前記バイパス部には切換手段を有し、
前記切換手段は、冷風用吹出口を開くと共に、冷風用送風経路と温風用送風経路の間を閉じることで前記冷風用吹出口から冷風を吹き出す冷風モードと、
前記冷風用吹出口を閉じると共に、冷風用送風経路と温風用送風経路を連通することで前記温風用吹出口から乾燥風を吹き出す乾燥モードとを、選択する制御部を備えた一体型空気調和機に於いて、
前記蒸発器や蒸発器近傍の冷媒配管の温度を検知する熱交センサを備え、
前記乾燥モード運転時に前記熱交センサの温度によって前記蒸発器に発生する霜の状態を検知し、前記圧縮機の運転を停止して冷風用ファンを運転することで蒸発器の霜を取り除く除霜運転中は、前記切換手段によって送風経路を冷風モード側に切り換える除霜制御部を有することを特徴とする一体型空気調和機。
【請求項２】
前記除霜運転中は、前記切換手段によって送風経路を冷風モード側と乾燥モード側に交互に切り換えて運転する除霜制御部を有することを特徴とする請求項１記載の一体型空気調和機。
【発明の詳細な説明】
【技術分野】
【０００１】
この発明は、一体型空気調和機に係り、詳しくはユニットを居室内にて冷風機又は除湿機として使用する一体型空気調和機に関するものである。
【背景技術】
【０００２】
従来より部屋の間取り等の関係で冷媒配管の接続工事が困難等の理由により、セパレートタイプの空気調和機を取付ることができない場合や、手軽に且つスポット的に冷風にて涼を求める場合に、小能力の圧縮機を内蔵し冷凍サイクルを備えた一体型の冷風機が利用されている。この冷風機は蒸発器にて冷却された冷風を前面の吹出口より吹き出すと同時に、凝縮器によって排熱された温風を背面から吹き出すものであった。このような冷風機は洗濯物の乾燥など目的で除湿機としても利用されている。
【０００３】
図７、図８は従来例の平面の概略断面図で、筐体に冷風用吸込口ａと冷風用吹出口ｂ、温風用吸込口ｃ、温風用吹出口ｄとを有し、前記筐体内に圧縮機と膨張弁、蒸発器ｅ、冷風用ファンｆ、凝縮器ｇ、温風用ファンｈとを有し、前記冷風用吸込口ａと蒸発器ｅ、冷風用ファンｆ、冷風用吹出口ｂとを連通して冷風用送風経路ｉを形成し、前記温風用吸込口ｃと凝縮器ｇ、温風用ファンｈ、温風用吹出口ｄとを連通して温風用送風経路ｊを形成し、前記冷風用送風経路ｉと温風用送風経路ｊとを隔壁ｋを介して隣接配置し、前記冷風用吹出口ｂ近傍に冷風用送風経路ｉと温風用送風経路ｊを連通するバイパス部ｌを前記冷風用吹出口ｂ近傍備え、前記バイパス部ｌには冷風用吹出口ｂを閉塞すると共に、冷風用送風経路ｉと温風用送風経路ｊを連通する切換手段ｍを有し、前記切換手段ｍにて、前記冷風用吹出口ｂから冷風を吹き出す冷風モード（図７参照）と、冷風用吹出口ｂを閉塞して前記温風用吹出口ｄから乾燥風を吹き出す乾燥モード（図８参照）とを、選択する制御部を備える。
【０００４】
これによって、夏期には図７のように前面に備えた冷風用吹出口ｂから引き出される冷風を浴びることで、冷風機として使用する。冷風機として使用しないときには図８のように、冷風用吸込口ａから吸い込んだ空気を蒸発器ｅで冷却し、蒸発器ｅでの結露により空気中の水分が取り除かれた乾燥空気を凝縮器ｇに導いて加熱し、背面に備えた温風用吹出口ｄから乾燥風を吹き出すことで乾燥機や除湿機として利用されている。（例えば、特許文献１参照）
【先行技術文献】
【特許文献】
【０００５】
【特許文献１】特許４４８９５７１号公報
【発明の概要】
【発明が解決しようとする課題】
【０００６】
このような従来例の一体型空気調和機では、洗濯物を乾燥する目的で冬期の低温時に乾燥モード運転を続けると蒸発器ｅに霜が除々に発生し、蒸発器ｅが目詰まりをおこして熱交換ができなくなることを防止するために、霜の発生時には定期的に圧縮機を停止して冷風用ファンｆのみを運転することで蒸発器ｅの霜を溶かす除霜運転が必要になる。これによって、除霜運転に費やす時間が長くなれば、洗濯物の乾燥時間が長くなり、できるだけ洗濯物の乾燥時間の短縮が必要であった。
【課題を解決するための手段】
【０００７】
上記課題を解決するために、特にその構成を、筐体に冷風用吸込口と冷風用吹出口、温風用吸込口、温風用吹出口とを有し、前記筐体内に圧縮機と膨張弁、蒸発器、冷風用ファン、凝縮器、温風用ファンとを有し、前記圧縮機と膨張弁、蒸発器、凝縮器とを冷媒配管で順次接続して冷凍サイクルを形成し、前記冷風用吸込口と蒸発器、冷風用ファン、冷風用吹出口とを連通して冷風用送風経路を形成し、前記温風用吸込口と凝縮器、温風用ファン、温風用吹出口とを連通して温風用送風経路を形成し、前記冷風用送風経路と温風用送風経路とを隔壁を介して隣接配置し、前記冷風用吹出口近傍に冷風用送風経路と温風用送風経路を連通するバイパス部を備え、前記バイパス部には切換手段を有し、前記切換手段は、冷風用吹出口を開くと共に、冷風用送風経路と温風用送風経路の間を閉じることで前記冷風用吹出口から冷風を吹き出す冷風モードと、前記冷風用吹出口を閉じると共に、冷風用送風経路と温風用送風経路を連通することで前記温風用吹出口から乾燥風を吹き出す乾燥モードとを、選択する制御部を備えた一体型空気調和機に於いて、前記蒸発器や蒸発器近傍の冷媒配管の温度を検知する熱交センサを備え、前記乾燥モード運転時に前記熱交センサの温度によって前記蒸発器に発生する霜の状態を検知し、前記圧縮機の運転を停止して冷風用ファンを運転することで蒸発器の霜を取り除く除霜運転中は、前記切換手段によって送風経路を冷風モード側に切り換える除霜制御部を有するものである。
【発明の効果】
【０００８】
この発明によれば、除霜運転中は切換手段によって送風経路を冷風モード側に切り換えることで、霜の付着した蒸発器を暖める冷風用吸込口から吸い込まれる空気は、蒸発器を通過後、温風用送風経路を通らず冷風用送風経路から直接冷風用吹出口から排出されるために、送風抵抗が少なくなることで蒸発器を通過する風量が増加することで除霜運転に費やす時間が短くなり、洗濯物の乾燥時間を短縮することができる。
【図面の簡単な説明】
【０００９】
【図１】この発明一実施例の冷風モード運転時の斜視図。
【図２】同冷風モード運転時の要部平面拡大断面図。
【図３】同乾燥モード運転時の要部平面拡大断面図。
【図４】同排気ダクトの取付を示す斜視図。
【図５】同除霜運転時の作動を示す説明図。
【図６】同制御回路の構成図。
【図７】他の実施例における除霜運転時の作動を示す説明図。
【図８】従来例の冷風モードの送風を示す概略断面図。
【図９】従来例の乾燥モードの送風を示す概略断面図。
【発明を実施するための形態】
【００１０】
この発明の空気調和機の実施形態について、図１〜６の図面を基に説明する。
１は空気調和機の筐体で、底板２と前面、上面、背面の中央にて係合する右枠３と左枠４にて構成している。前記筐体１内には冷凍サイクルの蒸発器５と凝縮器６と圧縮機７と膨張弁（図示せず）等を備え、前記蒸発器５の下流側には冷風用ファン８を、凝縮器６の下流側には温風用ファン９を設け、前記冷風用ファン８と温風用ファン９を同一の軸にて回転する送風モータ１０を隔壁１１の冷風用ファン８側に固定している。
【００１１】
前記右枠３は右側面の中央から上部にかけて冷風用吸込口１２を備え、この冷風用吸込口１２を吸込空気内の埃を除去するフィルタ１３で覆っている。前記冷風用吸込口１２の下方にはドレンタンク１４を着脱するタンク穴１５を設けている。前記ドレンタンク１４装着時には、ドレンタンク１４の外表面は右枠３の外表面と同一面に形成されている。前記冷風用吸込口１２の上方には運搬時の手掛用凹部１６が一体に形成されている。
【００１２】
前記左枠４は左側面の中央から上部にかけて温風用吸込口１７を備え、この温風用吸込口１７を冷風用吸込口１２と同様にフィルタ１３で覆っている。また前記右枠３の手掛用凹部１６と対向する位置に同じ形状の凹部１６が一体に形成されている。
【００１３】
前面下部中央の右枠３・左枠４の合わせ面から上方には前パネル１８を備え、この前パネル１８の上部には冷風用吹出口１９を設けている。この冷風用吹出口１９には冷風の左右方向の風向を調整すると共に停止時や乾燥モード運転時に冷風用吹出口１９を閉じる縦ルーバ２０が左右１対設けられ、この縦ルーバ２０に冷風の上下方向の風向を調整する多数の横ルーバ２１が取付けられている。
【００１４】
前記隔壁１１の右側には、冷風用吸込口１２と蒸発器５、冷風用ファン８、冷風用吹出口１９を連通して冷風用送風経路２２を形成し、また、前記隔壁１１の左側には温風用吸込口１７と凝縮器６、温風用ファン９、温風用吹出口２３を連通して温風用送風経路２４を形成している。
前記冷風用吹出口１９の左側の冷風用送風経路２２は、凝縮器６と温風用吸込口１７の間の温風用送風経路２４と連通するバイパス部２５が設けられ、乾燥モード運転時に冷風を凝縮器６へ導いて加熱するものである。
【００１５】
前記縦ルーバ２０は内側と外側の２枚の羽根が略平行に一体に形成され、この２枚の羽根の間に横ルーバ２１が回動自在に設けられ、多数の横ルーバ２１どうしは連接板（図示せず）によって接続されることで、各の横ルーバ２１の角度を一定にするものである。
【００１６】
また、前記縦ルーバ２０の左側内部には補助板２６が設けられ、乾燥モード運転や運転停止時には縦ルーバ２０はルーバーモータ２７によって自動的に閉じられ、前記補助板２６は縦ルーバ２０と連動して縦ルーバ２０の内側羽根に連なって、冷風用吹出口１９を２重に閉塞することで、縦ルーバ２０の外表面が冷風によって結露する事を防止するものである。
前記ルーバーモータ２７は２個の縦ルーバ２０と補助板２６の軸を同時に回転する機構を有し直流のステップモータを使用している。前記補助板２６によってバイパス部２５の開閉を行うことで、冷風用送風経路２２と温風用送風経路２４の連通と遮断をコントロールすることができる。切換手段としての縦ルーバ２０と補助板２６とルーバーモータ２７の作動によってバイパス部２５の開閉を行うと同時に、冷風モードでの運転時には冷風用吹出口１９を２重に閉塞することができる。
【００１７】
２８は前記筐体１上面の前側に設けられた操作部で、運転停止を行う運転スイッチ２９や冷風モード運転と除湿モード運転の切替を行うモード切替スイッチ３０やタイマースイッチ３１等を備えると共に、運転状態を表示する多数のランプ３２を備えている。
【００１８】
前記温風用吹出口２３は、筐体１上面の後ろ側から背面にかけて位置し、排気ルーバ３３の切替で温風の吹き出し方向を上方向と後ろ方向に切替るものである。前記排気ルーバ３３は上面と同一面で上面側の温風用吹出口２３を覆い後方へ温風の排気を行う後方排気位置から、温風用吹出口２３内部の左右に設けられた回動軸（図示せず）を支点として約９０度手動にて後方へ回動する事で、排気ルーバ３３は背面よりもやや突出する状態で、背面側の温風用吹出口２３を覆い上方へ温風の排気を行うものである。
【００１９】
３４は排気ダクトで、布やポリエチレン等の柔軟性薄膜材料で形成されたダクト本体３５と、このダクト本体３５の一端にテープ等によって取り付けられた接続具３６で構成されている。また前記ダクト本体３５は薄膜がつぶれて送風抵抗が大きくなる事を防止するために、プラスッチック製で直径約１５ｃｍの補強リング３７が複数薄膜に縫い込まれている。
【００２０】
前記温風用吹出口２３の背面側で、この吹出口２３の左右と下側周囲にはコの字型の溝３８を形成したダクト取付部３９が右枠３や左枠４と一体に形成されている。
前記排気ダクト３４を温風用吹出口２３に取り付けるには、排気ルーバ３３が上面側にあり、温風の吹き出し方向が後方側にセットされている状態であるかを確認し、前記接続具３６をダクト取付部３９の溝３８に上方から挿入し、ダクト本体３５を引き延ばして他端を窓等より部屋の外や廊下に出せば、補強リング３７によって送風路が確保され、排気ダクト３４のセットが完了する。
【００２１】
４０は筐体１の背面で温風用吹出口２３の下方に位置する収納部蓋で、この収納部蓋４０と前記ファン８・９のファンケース４１の間の空間に排気ダクト３４の収納部４２を形成している。
【００２２】
前記ファンケース４１は樹脂成形により隔壁１１と一体に設けられるか、又は別体に設けて爪等の係合で組み立てられて形成されている。
【００２３】
前記蒸発器５と凝縮器６は熱伝導性良好な多数のアルミウムフィンに銅管が貫通したフィンチューブ式の熱交換器である。前記底板２上には圧縮機７を備え、この圧縮機７と前記凝縮器６と、膨張弁等の膨脹装置（図示せず）と、蒸発器５等を順次冷媒配管で連通し冷凍サイクルを形成している。前記蒸発器５の下方にはドレンパン（図示せず）を設け、このドレンパンによって蒸発器５で発生した結露水を集め前記ドレンタンク１４に蓄える。
【００２４】
４３は制御部で、入力側に前記運転スイッチ２９やモード切換スイッチ３０等のスイッチ類と温度センサ４４や湿度センサ４５や熱交センサ４６等が接続され、出力側には前記送風モータ１０や圧縮機７やルーバモータ２７やランプ３２等が接続され、操作部２８でのスイッチ操作や各センサ４４・４５・４６の信号に応じて運転モードや送風量を変化させる。前記熱交センサ４６は前記蒸発器５や蒸発器５近傍の冷媒配管の温度を検知し、冬期で室温が低下している状態で衣類の乾燥をするために乾燥モードで運転を行ったとき、前記熱交センサ４６の検知温度によって蒸発器５に発生する霜の状態を検知する。また、前記蒸発器５に付着した霜の量が多くなって、蒸発器５による熱交換量が許容範囲を越えて低下した時に除霜運転を行う除霜制御部４７を前記制御部４３内に備えている。
【００２５】
冷風モード運転時の送風経路について説明すれば、縦ルーバ２０によって冷風用吹出口１９が開放され、同時に連動する補助板２６がバイパス部２５を閉じることで冷風用送風経路２２と温風用送風経路２４を分離する。これによって、冷風用吸込口１２から吸い込まれた空気はフィルタ１３で埃が取り除かれ、低温の蒸発器５で冷却された後、冷風用ファン８を通って、冷風用吹出口１９から縦ルーバ２０及び横ルーバ２１で冷風が案内され吹き出される。また、同時に温風用吸込口１７から吸い込まれた空気はフィルタ１３で埃が取り除かれ、高温の凝縮器６で加熱され、温風用ファン９を通って温風用吹出口２３から温風として排熱され、排気ダクト３３が温風用吹出口２３に接続されていれば、排気ダクト３３で室外に排気が行われる。
【００２６】
次に、乾燥モード運転時の送風経路について説明すれば、縦ルーバ２０によって冷風用吹出口１９が閉じられ、同時に連動する補助板２６がバイパス部２５を開放することで冷風用送風経路２２と温風用送風経路２４を連通する。これによって、冷風用吸込口１２から吸い込まれた空気はフィルタ１３で埃が取り除かれ、低温の蒸発器５で冷却されることで空気中の水分が取り除かれた後、冷風用ファン８を通って、冷風用吹出口１９へ向かうが、縦ルーバ２０と補助板２６によって冷風用吹出口１９は閉塞されているので冷風はバイパス部２５を通過して凝縮器６に送られ、凝縮器６で加熱された後、温風用ファン９を通って、温風用吹出口２３から乾燥した空気が吹き出される。この乾燥空気で洗濯物の乾燥や室内の除湿を行うものである。
【００２７】
次に、乾燥モード運転時の除霜運転について図５を基に説明すれば、乾燥モード運転は前記に説明した送風経路で運転され圧縮機７は通常は冷凍回路を機能するために連続で運転を継続する。しかし、冬期で室温が低下している状態（例えば室温を５℃とした場合）で運転を継続すると蒸発器５の温度（熱交センサ４６の温度）は約−５℃に低下する。蒸発器５を通過する空気中の水分が凍結して徐々に蒸発器５に付着し、蒸発器５に霜が付着することで蒸発器５の通風抵抗が大きくなり、蒸発器５の熱交換効率が低下することで、更に蒸発器５の温度（熱交センサ４６の温度）が低下して付着する霜の量が増大する。そこで、蒸発器５の温度（熱交センサ４６の温度）が−１０℃以下まで低下した状態を所定時間（２０分間）継続した場合に蒸発器５に付着した霜を取り除く除霜運転を行う。また、このような除霜運転を開始するタイミング（除霜開始の条件）は、圧縮機７や蒸発器５等の大きさなどそれぞれの機種によって異なる。
【００２８】
除霜開始の条件が成立すれば、除霜運転を開始し、圧縮機７を停止し送風モータ１０の運転を継続することで、冷風用吸込口１２から吸い込まれた室温の空気によって蒸発器５が暖められ付着した霜を溶かしていく、霜が溶けて熱交センサ４６の温度が２℃になったら圧縮機７を再起動して乾燥運転に復帰する。このような除霜運転時一時的に、バイパス部２５を閉じる方向に補助板２６を回動し、縦ルーバ２０を冷風用吹出口１９が開放して冷風モードの送風回路にする。これによって、送風経路の抵抗が通常の乾燥モードに比べて減少することで、蒸発器５を通過する送風量が増加して霜を溶かす時間（除霜時間）を短縮し、除霜時間を短縮することで洗濯物の乾燥時間を短縮できる。この実施例では、送風経路を切り換えないでそのまま除霜運転を行った場合には、約１７分の除霜運転が必要であるが、送風経路を切り換えて除霜運転を行った場合には約６分に短縮することができる。また、除霜運転時に冷風用吸込口１２から前方に冷風を吹き出すが、除霜運転が必要になる室温は低温であることから空気調和機の周囲には、人は居ないと考えられるので、前方に冷風を吹き出すことで人に不快感をあたえるものではない。
【００２９】
また、図７のように、除霜運転時の送風路を冷風モード側と乾燥モード側に任意の時間で交互に切り換えれば、除霜運転の時間は約６〜１７分の間に延びてしまうが、
前面の冷風用吸込口１２が開き続けることで、使用者が乾燥モード運転行っているにもかかわらず勝手に冷房モード運転に切り換わったのではないかと勘違いすることを防止することができる。
【００３０】
このように、除霜運転中は切換手段２０・２６によって送風経路を冷風モード側に切り換えることで、霜の付着した蒸発器を暖める冷風用吸込口１２から吸い込まれる空気は、蒸発器５を通過後、温風用送風経路２４を通らず冷風用送風経路２２から直接冷風用吹出口１９から排出されるために、送風抵抗が少なくなることで蒸発器５を通過する風量が増加することで除霜運転に費やす時間が短くなり、洗濯物の乾燥時間を短縮することができる。
【００３１】
また、除霜運転時の送風路を冷風モード側と乾燥モード側に任意の時間で交互に切り換えることで、使用者が乾燥モード運転行っているにもかかわらず勝手に冷房モード運転に切り換わったのではないかと勘違いすることを防止することができる。また、
除霜運転中も温風用吹出口２７から断続的に異なった風量で洗濯物への送風を行うことで洗濯物の乾燥時間を短縮することができる。
【００３２】
この発明の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００３３】
例えば、図７における冷風モードと乾燥モードの切換時間を同一の時間間隔で交互に切り換えたが、任意の時間に異ならせても良い。
【符号の説明】
【００３４】
１    筐体
５    蒸発器
６    凝縮器
８    冷風用ファン
９    温風用ファン
１２    冷風用吸込口
１７    温風用吸込口
１９    冷風用吹出口
２０    縦ルーバ（切換手段）
２２    冷風用送風経路
２３    温風用吹出口
２４    温風用送風経路
２５    バイパス部
２６    補助板（切換手段）
４３    制御部
４６    熱交センサ
４７    除霜制御部
【図１】
2018159524.tif 000003
【図２】
2018159524.tif 000004
【図３】
2018159524.tif 000005
【図４】
2018159524.tif 000006
【図５】
2018159524.tif 000007
【図６】
2018159524.tif 000008
【図７】
2018159524.tif 000009
【図８】
2018159524.tif 000010
【図９】
2018159524.tif 000011